(57)【特許請求の範囲】
【請求項１】
両端部が壁部により閉塞され略水平に配置可能とされる筒状体からなり、処理対象物を収容するとともに、下側部分に前記処理対象物を載置する底部保持板が形成された容器と、
前記容器を振動させる振動モータと、
前記容器を支持する支持部材と、
前記容器内に、洗浄液と蒸気の少なくともいずれかを供給する供給手段と、
前記供給された洗浄液又は蒸気による液体を、前記容器から排出する処理液排出手段と、
前記処理対象物を容器外に排出する処理対象物排出部と、を備えた振動処理装置であって、
前記供給手段は、
前記容器内に前記洗浄液を噴射する洗浄液供給部材と前記容器内に蒸気を噴射する蒸気供給部材の、少なくともいずれかを備え、
前記容器は、
少なくとも底部保持板に形成され、前記処理対象物と接触することで、前記振動モータの振動を前記処理対象物に効率的に伝達するためのシリコンゴムからなる振動伝達手段を備えることを特徴とする振動処理装置。
【請求項２】
請求項１に記載の振動処理装置であって、
前記振動伝達手段は、
前記容器の内周面側に形成された凹凸形状部を有していることを特徴とする振動処理装置。
【請求項３】
請求項１又は請求項２に記載の振動処理装置であって、
前記容器内を減圧する容器内減圧手段を備えることを特徴とする振動処理装置。
【請求項４】
請求項１から請求項３のいずれか１項に記載の振動処理装置であって、
前記支持部材に設けられ前記筒状体の軸線を水平に対して傾斜させる傾動手段を備えることを特徴とする振動処理装置。
【発明の詳細な説明】
【技術分野】
【０００１】
この発明は、シリンジのシール材やバイアル等の医薬品容器を密封するゴム栓をはじめとする種々の処理対象物に、洗浄、滅菌等の処理をするための振動処理装置に関する。
【背景技術】
【０００２】
周知のように、シリンジのシール材やバイアルをはじめとする医薬品容器を密封するためのゴム栓等、医療用品の構成部品の生産等において、これら構成部品等に雑菌やウイルス等が付着することにより汚染されるのを防止するために、滅菌後に医療用品として組立て、装着することが一般的に行なわれている。
【０００３】
これらシリンジのシール材や医薬品容器のゴム栓等を滅菌する際に、振動モータにより容器を振動し、容器内の処理対象物を振動させることで、効率的に洗浄、滅菌等の処理をするための振動処理装置が開発されている（例えば、特許文献１参照）。
【先行技術文献】
【特許文献】
【０００４】
【特許文献１】特開２０１０−７５５５９号公報
【発明の概要】
【発明が解決しようとする課題】
【０００５】
上記特許文献１に開示された滅菌装置を用いて、洗浄、滅菌、乾燥をすることで、洗浄、滅菌工程の効率、信頼性は飛躍的に向上したが、効率、信頼性をより向上しようとすると、処理対象物の形状、材質等の条件により、振動周波数、振幅、振動時間等の設定を調整しなければ、斑なく充分な洗浄や滅菌ができない場合があることが判明した。
【０００６】
かかる処理条件を、処理対象物ごとに検証、設定することは、多くの労力を要するうえ、振動周波数、振幅、振動時間等の条件を処理対象物ごとに設定変更することは、工数的ロスに加えて装置の処理能力（出来高）にも影響する。
特に、医療分野では、種々の形状、材質の処理対象物があり、種々の処理対象物をできるだけ短時間で効率よく洗浄、滅菌することが、衛生上も好ましい。
【０００７】
そこで、振動モータにより容器内の処理対象物を振動させる振動処理装置に関して、処理対象物の形状、材質等に関わらず、効率的に洗浄、滅菌等の処理を可能とする技術に対して、強い要請がある。
【０００８】
この発明は、このような事情を考慮してなされたもので、振動モータにより容器を振動させて、容器内に収容した処理対象物に対して、洗浄、滅菌等の処理をする場合に、容器の振動を効率的に処理対象物に伝達することができる振動処理装置を提供することを目的とする。
【課題を解決するための手段】
【０００９】
前記目的を達成するために、本発明は以下の手段を提案している。
請求項１に記載の発明は、両端部が壁部により閉塞され略水平に配置可能とされる筒状体からなり、処理対象物を収容するとともに、下側部分に前記処理対象物を載置する底部保持板が形成された容器と、前記容器を振動させる振動モータと、前記容器を支持する支持部材と、前記容器内に、洗浄液と蒸気の少なくともいずれかを供給する供給手段と、前記供給された洗浄液又は蒸気による液体を、前記容器から排出する処理液排出手段と、前記処理対象物を容器外に排出する処理対象物排出部と、を備えた振動処理装置であって、前記供給手段は、前記容器内に前記洗浄液を噴射する洗浄液供給部材と前記容器内に蒸気を噴射する蒸気供給部材の、少なくともいずれかを備え、前記容器は、少なくとも底部保持板に形成され、前記処理対象物と接触することで、前記振動モータの振動を前記処理対象物に効率的に伝達するためのシリコンゴムからなる振動伝達手段を備えることを特徴とする。
【００１０】
この発明に係る振動処理装置によれば、処理対象物を振動させる際に、振動伝達手段が処理対象物に充分に接触するので、容器に与えられた振動を、処理対象物に効率的に伝達することができ、処理対象物を効率的に運動させることができる。
その結果、処理対象物を効率的に処理することができ、ひいては処理品質の向上、省エネルギーを実現することができる。
また、振動伝達手段が容器の内周面に形成された弾性樹脂材から構成されているので、振動伝達手段が処理対象物と接触した場合に、摩擦により振動を処理対象物に効率的に伝達することができ、さらに、弾性樹脂材は、シリコンゴムから構成されているので、粘着的に振動を伝達するとともに、接触における摩耗が小さく、また、蒸気、洗浄液等に対する耐久性を確保することができる。
【００１５】
請求項４に記載の発明は、請求項１に記載の振動処理装置であって、前記振動伝達手段は、前記容器の内周面側に形成された凹凸形状部を有していることを特徴とする。
【００１６】
この発明に係る振動処理装置によれば、振動伝達手段が、容器の内周面側に形成された凹凸形状部を有しているので、振動伝達手段が処理対象物と接触した際に、凹凸形状部との引っかかりによる振動伝達をするので、処理対象物に確実に振動を伝達することができる。
【００１８】
請求項５に記載の発明は、請求項１又は請求項２に記載の振動処理装置であって、前記容器内を減圧する容器内減圧手段を備えることを特徴とする。
【００１９】
この発明に係る振動処理装置によれば、容器内を減圧しながら振動させることにより処理対象物間に残留する洗浄液、凝縮した蒸気等を処理対象物から蒸発、除去するので効率的に乾燥させることができる。
また、洗浄、滅菌処理を行なう際に容器内を減圧した場合、堆積した処理対象物間に洗浄液、蒸気を容易に入り込ませることができ、処理の効率及び品質を向上させることができる。
【００２０】
請求項４に記載の発明は、請求項１から請求項３のいずれか１項に記載の振動処理装置であって、前記支持部材に設けられ前記筒状体の軸線を水平に対して傾斜させる傾動手段を備えることを特徴とする。
【００２１】
この発明に係る振動処理装置によれば、容器を水平に対して傾斜させることにより、処理対象物、処理液を効率よく排出することができる。
また、容器を傾動して処理対象物等を排出させることにより、洗浄液、蒸気の供給しながら洗浄、滅菌等の処理をすることが可能となり、作業効率を向上することができる。
また、振動させながら傾斜させた場合には、容器内の位置による洗浄、滅菌、乾燥等の処理品質の偏り（斑）の発生を抑制することができる。
【発明の効果】
【００２２】
本発明に係る振動処理装置によれば、振動モータにより容器に与えた振動を、効率的に処理対象物に伝達することができるので、処理効率を向上することができ、ひいては処理品質やエネルギー効率を向上することができる。
【図面の簡単な説明】
【００２３】
【図１】本発明の第１の実施形態に係る滅菌装置の概略構成を示す図である。
【図２】本発明の第１の実施形態に係る滅菌装置の容器を側面視した縦断面図である。
【図３】本発明の第１の実施形態に係る滅菌装置を軸線方向から見た縦断面図である。
【図４】本発明の第１の実施形態に係る滅菌装置の伸縮部部材の詳細を示す図である。
【図５】本発明の第１の実施形態に係る滅菌装置の作用を説明するための軸線方向から見た容器の縦断面図であり、（Ａ）は滅菌装置が静止している状態を、（Ｂ）は滅菌装置が振動している状態を示す図である。
【図６】本発明の第１の実施形態に係る滅菌装置の作用を説明する概略側面図であり、（Ａ）は装置滅菌の状態を、（Ｂ）は洗浄、滅菌において容器を傾動した状態を、（Ｃ）は乾燥において容器を水平に維持した状態を、（Ｄ）は一連の作業が完了して処理対象物排出部側を下方に傾動した状態を示す図である。
【図７】本発明の第２の実施形態に係る要部の概略構成を示す図である。
【発明を実施するための形態】
【００２４】
以下、図１から図６を参照し、この発明の実施の形態について説明する。
図１は、本発明の第１の実施形態に係る滅菌装置の概略を示す図であり、符号１は滅菌装置（振動処理装置）を示している。
【００２５】
滅菌装置１は、図１に示すように、装置架台２と、処理対象物Ｗを収容する容器２０と、容器２０を支持する支持部材３１、３２と、容器２０を傾動可能とされる伸縮部材（傾動手段）４０と、容器２０を振動させる振動モータ５０と、容器２０内に洗浄液を噴射する洗浄液供給部材（供給手段）６０と、容器２０内に蒸気を噴射する蒸気供給部材（供給手段）６５と、処理液排出手段７０と、減圧ユニット（容器内減圧手段）７５とを備え、支持部材３１、３２は装置架台２上に設けられている。
また、この実施形態において、処理対象物Ｗは、例えば、シリンジのシール材やバイアル等の医薬品容器を密封するためのゴム栓等とされている。
【００２６】
容器２０は、図２、図３に示すように、外殻及び内壁部２１が略円筒形状の円筒体（筒状体）に形成され、筒状体の軸線Ｃ方向の一方端側に壁部２１Ａが、他方端側に壁部２１Ｂが設けられることで円筒体の両端部が閉塞された密閉状態とされ、軸線Ｃを略水平にして設置されている。
【００２７】
容器２０内の下側部分には、内壁部２１の内径より大きな曲率半径に形成され略平板状とされた底部保持板２２が略水平方向に設けられ、処理対象物Ｗを安定して保持するようになっている。
容器２０は、内壁部２１及び底部保持板２２が、例えば、ＳＵＳ３１６Ｌにより形成されていて、洗浄において用いられる薬剤、蒸気によって錆や腐食が発生するのを抑制することが可能とされている。
【００２８】
また、容器２０は、内壁部２１及び底部保持板２２の内周面側の前面（孔部分は除く）に、例えば、弾性を有するシリコンゴムライニング（振動伝達部材）２３が設けられている。
また、底部保持板２２及びシリコンライニング２３には、容器２０の内部空間から下方に貫通する複数の水抜孔２２Ａが形成されており、洗浄液や蒸気が凝縮した処理液を下方に排出することができるようになっている。
【００２９】
また、容器２０の上部には、軸線Ｃ方向に並んで開口部２４、２５が形成され、開口部２４、２５には蓋部材２４Ａ、２５Ａが開閉可能に設けられ、蓋部材２４Ａ、２５Ａを閉めることによって開口部２４、２５が密閉されるようになっている。
【００３０】
また、容器２０の内側壁部２１の外方には、ジャケット２６が形成され、容器２０外部の図示しない経路からジャケット２６に温水又は水蒸気等の加熱媒体又は冷却水等の冷却媒体を流通して、処理対象物Ｗ及び洗浄液を加熱又は冷却して洗浄時の処理対象物Ｗの温度を調節可能とされている。
なお、この実施形態において、ジャケット２６は内壁部２１の外方に形成されているが、壁部２１Ａ、２１Ｂにもジャケットを設けてもよいし、ジャケット２６を備えない構成としてもよい。
【００３１】
また、壁部２１Ａには、容器２０の内部と外部とを連通させ、スライドバルブ２８等により開閉可能とされた処理対象物排出部２７が壁部２１Ａの下端近傍に形成され、処理対象物排出部２７が開口されることによって処理対象物Ｗを容器２０の外に排出可能とされている。
【００３２】
処理対象物排出部２７の下方には、完成品容器Ａが配置され、処理対象物排出部２７は、例えば伸縮可能なジャバラホースにより完成品容器Ａと接続され、処理対象物排出部２７から排出された処理対象物Ｗが完成品容器Ａに収容されるようになっている。
なお、完成品容器Ａの下方にはタンク２９が設けられ、処理液及び蒸気ドレンを一端受けて滅菌装置１の外に排出させることができるようになっている。
【００３３】
振動モータ５０は、容器２０の外方下側部分に、容器２０の軸線Ｃ方向中央近傍に設けられており、その回転軸に該回転軸の中心から偏心して形成された偏心ウェイトを有し、偏心ウェイトが回転軸とともに回転することにより回転軸と直交する面内に周回振動を発生し、処理対象物Ｗが容器２０にて振動して周回するように構成されている。なお、振動モータ５０は、洗浄する処理対象物Ｗの種類等に合わせて回転数や振動の周波数等を適宜設定して駆動することができる。
【００３４】
支持部材３１、３２は装置架台２の上部に鉛直方向に立設される同一の長さに調整可能とされる４本の柱部材により構成され、振動モータ５０を挟んで軸線Ｃ方向の両側で容器２０に接続され、軸線Ｃ方向からみた場合に容器２０を左右両側にて下方から支持するようになっている。また、支持部材３１、３２は伸縮して同一の長さに調整することができるようになっている。
【００３５】
支持部材３１は、容器２０の下部に接続される一対の上支持部材３１Ａと、上支持部材３１Ａに対応する下支持部材３１Ｂとを有し、それぞれの上支持部材３１Ａと下支持部材３１Ｂの間には上下方向に伸縮する伸縮部材（傾動手段）４０が設けられており、支持部材３１の伸縮部材４０が収縮すると一方側の壁部２１Ａを下方に、伸縮部材４０が膨張すると他方側の壁部２１Ｂを下方にして容器２０を傾斜することが可能に構成されている。
【００３６】
また、支持部材３２は、支持部材３１と同様に、容器２０の下部に接続される一対の上支持部材３２Ａと、上支持部材３２Ａに対応する下支持部材３２Ｂとを有し、それぞれの上支持部材３２Ａと下支持部材３２Ｂの間には上下方向に伸縮する伸縮部材４０が設けられており、支持部材３２の伸縮部材４０が収縮すると他方側の壁部２１Ｂを下方に、伸縮部材４０が膨張すると一方側の壁部２１Ａを下方にして容器２０を傾斜することが可能に構成されている。
【００３７】
伸縮部材４０は、例えば、図４に示すように、ラバー等の弾性材料からなり内部にエアー等の流体を貯留可能とされるエアー貯留部材４４を有し、貯留するエアー量によって伸縮して上支持部材３１Ａ、３２Ａを上下方向に移動させて容器２０を傾動することができるようになっている。
【００３８】
貯留部材４４は、上部及び下部において貯留部材４４の外周を囲むように環状の押え部材４４Ａが設けられて、上側の押え部材４４Ａは上支持体取付板４５に、下側の押え部材４４Ａは下支持体取付板４６にそれぞれボルト４７により固定されている。
伸縮部材４０は、上支持体取付板４５が上支持部材３１Ａ、３２Ａに、下支持体取付板４６が下支持部材３１Ｂ、３２Ｂにそれぞれボルト４３で固定されることにより、上支持部材３１Ａ、３２Ａと下支持部材３１Ｂ、３２Ｂとを接続するように構成されている。
【００３９】
上支持体取付板４５の略中央部には貫通孔４５Ａが形成されて上支持部材３１Ａ、３２Ａのボルト４１Ａの頭部が挿入され、貫通孔４５Ａの周囲をカバー４５Ｂにより覆うことによりエアー貯留部材４４の内部が貫通孔４５Ａを介して外部と流通するのを抑制してエアー貯留部材４４の内部の気密が保持されている。
【００４０】
また、下支持体取付板４６の略中央部分にはエアー貯留部材４４の内部と下支持部材３１Ｂ、３２Ｂのエアー供給路４２Ａとを連通するエアー供給孔４６Ａが形成されている。
【００４１】
また、上支持体取付板４５と上支持部材３１Ａ、３２Ａの間の外周近傍及び下支持体取付板４６と下支持部材３１Ｂ、３２Ｂの間の外周近傍には環状のパッキン４８が設けられ、伸縮部材４０は下支持部材３１Ｂ、３２Ｂのエアー供給路４２Ａに連通されるとともに、外部空間と気密とされている。
【００４２】
また、それぞれの下支持部材３１Ｂ、３２Ｂのエアー供給路４２Ａには、圧力センサ（図示せず）が配設されておりエアー貯留部材４４内のエアー圧を測定することができるようになっている。
また、伸縮部材４０を構成するエアー貯留部材４４はエアー供給路４２Ａを介して図示しないエアーコンプレッサー等のエアー源に接続され、圧力センサにより検出したエアー圧に基づいて制御部が貯留部材４４へのエアーの供給・排出を制御して容器２０の姿勢を水平状態及び所望の角度に傾斜させることができるようになっている。
【００４３】
洗浄液供給部材６０は、例えば、上流側が給水源に接続され容器２０内部に開口していて、処理対象物Ｗが振動により弾んで底部保持板２２から離間する側の領域の上方に配置されて処理対象物Ｗに洗浄液を噴射するようになっている。また、洗浄液供給部材６０は、洗浄液噴射ノズル６２が軸線Ｃの方向に配列されている。
【００４４】
蒸気供給部材６５は、蒸気バルブ６６を介して上流側が、例えば、クリーン蒸気源に接続されるとともに下流側が蓋部材２４Ａを介して容器２０内に開口していて、蒸気バルブ６６を開くことによって容器２０内に蒸気を供給するようになっている。
【００４５】
処理液排出手段７０は、処理液排出管７０Ａと、蒸気ドレン管７０Ｂを備えており、処理対象物Ｗを洗浄するために容器２０に供給された洗浄液等の処理液及び蒸気のドレンを容器２０の外に排出するようになっている。
【００４６】
減圧ユニット７５は、例えば、真空ポンプ７６と、ドレンタンク７７と、吸引ホース７８とを備え、吸引ホース７８は上流側がバルブ７９を介して容器２０上部の蓋部材２５Ａを介して容器２０内に接続されている。
ドレンタンク７７は、真空ポンプ７６により吸引された流体（空気、蒸気、洗浄液ミスト等）が排出されるようになっており、吸引した流体に含まれる水分を空気と分離するとともに凝縮した蒸気をドレンとして排出可能とされている。
【００４７】
次に、滅菌装置１による処理対象物Ｗの洗浄、滅菌について説明する。
以下、装置殺菌、洗浄、滅菌、乾燥の順に説明する。なお、この明細書において、一連の滅菌作業とは、装置殺菌、洗浄、滅菌、乾燥の順序で行われる作業の他、洗浄、滅菌を含む必要とされる一連の工程をいい、例えば、乾燥を除く構成としてもよいし、装置殺菌、洗浄、滅菌、乾燥の順序に関して自在に設定することができるものである。
＜装置殺菌＞
１）まず、処理対象物Ｗを投入する前に、開口部２４，２５を蓋部材２４Ａ、２５Ａにより閉じて容器２０内を密閉状態とする。
２）次に、蒸気供給部材６５から蒸気を供給して、容器２０内を加熱して滅菌する。
３）このとき、支持部材３２側の伸縮部材４０を膨張させて、図６（Ａ）に示すように容器２０の処理対象物排出部２７側を下方に傾斜させるとともに、スライドバルブ２８を開き、供給された蒸気を処理対象物排出部２７経由で完成品容器Ａ内に蒸気、蒸気ドレンＳとして流通、排出し、製品排出部２７及び完成品容器Ａを滅菌する。
なお、処理対象物排出部２７を経由した完成品容器Ａへの蒸気の排出を容器２０内への蒸気の供給が完了した後に行ってもよい。
＜洗浄＞
１）まず、図５（Ａ）に示すように開口部２４、２５から処理対象物Ｗを投入する。処理対象物Ｗを投入したら開口部２４，２５を蓋部材２４Ａ、２５Ａにより閉じて容器２０内を密閉状態とする。
２）次に、振動モータ５０を駆動して、例えば、矢印Ｔ方向に回転軸を回転させて容器２０を振動させる。
このときの振動モータ５０による振動は、例えば、図５（Ｂ）に示すように処理対象物Ｗが底部保持板２２の洗浄液供給部材６０の下方で跳ね上がり軸線Ｃを挟んで洗浄液供給部材６０と反対側に周回移動するように振動することが好ましい。
このとき、容器２０の内周面に設けられたシリコンゴムライニング２３が処理対象物Ｗと接触して、粘着的な摩擦により処理対象物Ｗに効率的に振動が伝達される。
また、例えば、処理対象物Ｗに微細な凹部又は空孔が形成されていてこの凹部又は空孔内に洗浄液を入り込みやすくする必要がある場合には、振動モータ５０の駆動に先立って、又は振動モータ５０の駆動とともに減圧ユニット７５を駆動して容器２０内を所定圧力まで減圧して凹部、空孔内の空気を取り除いてもよい。
また、必要に応じて、洗浄液供給部材６０から容器２０内に洗浄液を供給して所定の液位まで洗浄液を貯留させてもよい。
３）処理対象物Ｗを洗浄している間、洗浄液供給部材６０のノズルからは必要に応じて洗浄液を噴射する。
なお、蒸気供給部材６５から蒸気を供給してもよい。
４）洗浄にあたっては、必要に応じて支持部材３１側の伸縮部材４０を膨張させて、図６（Ｂ）に示すように処理液排出手段７０の側が下方となるように容器２０を水平に対して傾斜するとともにバルブ７１Ａ、７１Ｃを開いて処理液排出管７０Ａを流通可能として処理液を容器２０の外に排出させる。蒸気を使用する場合は、必要に応じてバルブ７１Ｂを開いて蒸気ドレンを排出する。
５）処理対象物Ｗの洗浄が終了したら、処理液排出管７０Ａから処理液を容器２０の外に充分に排出する。
【００４８】
＜滅菌＞
殺菌は、洗浄した処理対象物Ｗを容器２０内に収納したまま移行する。
１）まず、蒸気供給部材６５から蒸気を供給する。
このときの蒸気は、例えば、容器２０内に供給された状態で０．１５ＭＰａ（１２５℃）とされ、容器２０内及び処理対象物Ｗを加圧するとともに加熱する。
２）次いで、振動モータ５０を駆動して、例えば、図５（Ｂ）に示すように矢印Ｔ方向に回転軸を回転させて容器２０を振動させる。
３）振動モータ５０による振動及び蒸気供給部材６５から容器２０内への蒸気の供給はタイマにより所定時間（例えば、２０分）行なう。
４）滅菌にあたっては、必要に応じて支持部材３１側の伸縮部材４０を膨張させて、図６（Ｂ）に示すように処理液排出手段７０の側が下方となるように容器２０を水平に対して傾斜するとともにバルブ７１Ａ，７１Ｂ、７１Ｃを開いて処理液排出管７０Ａを流通可能として蒸気ドレンを容器２０の外に排出させる。
このとき、必要に応じて支持部材３２側の伸縮部材４０を膨張させて、図６（Ａ）に示すように容器２０を処理対象物排出部２７側を下方に傾斜させて完成品容器Ａ内に蒸気ドレンを流通させ、完成品容器Ａ等を再び滅菌してもよい。
この処理液及び蒸気ドレンの排出は、処理液排出手段７０に配置された図示しない背圧弁を介し、又はバルブ７１Ａ，７１Ｂ、７１Ｃを間欠で開放することにより容器２０内の圧力を維持しながら行なわれる。
５）処理対象物Ｗの殺菌が終了したら、処理液排出管７０Ａ、蒸気ドレン管７０Ｂを開いて、蒸気ドレンを容器２０の外に充分に排出する。
【００４９】
＜乾燥＞
乾燥は、殺菌に引き続いて行われ、殺菌した処理対象物Ｗを容器２０内に収納したまま移行する。
１）それぞれの伸縮部材４０を、例えば、同一圧力に制御して容器２０の軸線Ｃを６（Ｃ）に示すように水平にする。
２）次いで、減圧ユニット７５を駆動して容器２０内を所定圧力まで減圧する。
３）次いで、振動モータ５０を駆動して容器２０内の処理対象物Ｗを振動させる。
なお、容器２０内の減圧に代えて又は減圧とともに容器２０内に熱風を容器２０内に供給して処理対象物Ｗを乾燥させてもよい。このとき、熱風は、例えば、乾燥された処理対象物Ｗの温度が７０℃となる程度の温度のものが用いられる。
４）乾燥が終了したら、壁部２１Ａ側の処理対象物排出部２７をスライドバルブ２８のハンドルを回すことにより開口し、支持部材３２側の伸縮部材４０を膨らませて容器２０の軸線Ｃを図６（Ｄ）に示すように傾斜させて容器２０から処理対象物Ｗを完成品容器Ａに排出させる。このとき、処理対象物Ｗは自重により又は振動を与えて排出させてもよい。
なお、一連の滅菌作業において、ジャケット２６に温水又は水蒸気等の加熱用熱媒体又は冷水等の冷却用熱媒体を流通させて容器２０内の処理対象物Ｗを材料の特性に適合させてもよい。
【００５０】
以上、説明したように、滅菌装置１によれば、容器２０内に収容された処理対象物Ｗが、シリコンゴムライニング２３と接触して、処理対象物Ｗに効率的に振動が伝達される。その結果、処理対象物Ｗが、容器２０内で充分に攪拌されて処理対象物Ｗ同士間に隙間が形成されやすいので、滅菌の品質を向上させるとともに一連の滅菌作業を効率的に行なうことができる。
【００５１】
また、滅菌装置１によれば、処理対象物Ｗを一連の滅菌作業において人手により取り扱うことなくできるので、滅菌作業を効率的に行なうことができる。
また、滅菌作業中に人手が介在しないので、処理対象物Ｗが破損しにくく、また、処理対象物Ｗが汚染されることが抑制される。
また、容器２０を軸線Ｃが処理液排出手段７０の側が下方になるように水平に対して傾斜させることにより処理液、蒸気ドレン等を一連の滅菌作業を実施しながら容易に容器２０の外に効率的に排出することができる。
【００５２】
また、容器２０を処理対象物排出部２７側が下方になるように水平に対して傾斜させて、処理対象物排出部２７を経由して完成品容器Ａに高温の蒸気ドレンを容易に排出することができるので、処理対象物排出部２７及び完成品容器Ａを効率的に滅菌することができる。
【００５３】
また、容器２０を支持する支持部材３１、３２のそれぞれに伸縮部材４０が設けられているので、容器２０から床部への振動の伝播の抑制及び支持部材３１、３２の衝撃に起因する支持部材３１、３２の破損が防止される。
【００５４】
次に、図７を参照して、この発明の第２の実施形態について説明する。
第２実施形態が、第１実施形態と異なるのは、振動伝達手段が、シリコンゴムライニング２３に代えて、容器２０の内壁部２１及び底部保持板２２の内周側に貼着され、容器２０の中空部側が凹凸形状部とされた凹凸ライニング２３Ａとされている点である。なお、図１と共通する部分は説明を同じ符号を付して、説明を省略する。凹凸ライニング２３Ａは、ＳＵＳ材のような硬質の材質やシリコンゴムのような弾性を有する材質を適宜選択して用いることができる。
【００５５】
第２の実施形態に係る滅菌装置によれば、容器２０の内壁部２１及び底部保持板２２の内周側に形成された凹凸形状部が、処理対象物Ｗと接触した際に、凹凸形状部との引っかかりにより振動を伝達するので、処理対象物Ｗに効率的に振動を伝達し、ひいては、処理対象物Ｗの品質及びエネルギー効率を向上することができる。
【００５６】
なお、上記の実施形態において記載した技術的事項については、発明の趣旨を逸脱しない範囲で種々の変更を加えることが可能である。
上記実施の形態においては、振動伝達手段（シリコンゴムライニング２３、凹凸ライニング２３Ａが、容器２０の内壁部２１及び底部保持板２２の内周面全体に取付けられる場合について説明したが、内壁部２１及び底部保持板２２の内周面全体ではなく、例えば、内壁部２１と底部保持板２２のいずれか一方の内周面、又は内壁部２１及び底部保持板２２の内周面の一部のみに振動伝達手段を施してもよい。また、振動伝達手段を、壁部２１Ａ、２１Ｂの内面に施すかどうかは、適宜設定することができる。
【００５７】
また、振動モータ５０の回転軸を容器２０の軸線Ｃに沿う方向に配置して振動させる場合について説明したが、例えば、回転軸を容器２０の両端部を結ぶ方向に容器２０の軸線Ｃと交差するような方向に配置してもよい。
【００５８】
また、上記実施の形態においては、供給手段が洗浄液供給部材６０と蒸気供給部材６５を備える場合について説明したが、例えば、洗浄液供給部材６０と蒸気供給部材６５のいずれか一方を備える構成としてもよい。
【００５９】
また、減圧ユニット７５による容器２０内の減圧、処理液排出手段７０、ジャケット２６への熱媒体の供給に関しては実施の有無及びタイミングを自在に設定することができる。
【００６０】
また、上記実施の形態においては、容器２０の軸線Ｃが傾斜可能に構成される場合について説明したが容器２０を傾動させない構成としてもよいし、容器２０を傾動させる場合に、支持部材３１、３２の各々に設けられた伸縮部材４０により容器２０を傾斜するのに代えて、支持部材３１、３２のいずれか一方のみに伸縮部材４０を設けて容器２０を傾斜する構成としてもよい。
【００６１】
また、上記実施の形態においては、圧力センサが検出した圧力に基づいて伸縮部材４０のエアー圧を制御する場合について説明したが、例えば、圧力センサを備えない構成や、圧力センサの測定値を所望の圧力値とする手動による設定や、圧力センサの代わりに光センサやリミットスイッチ等のセンサを用いて、容器２０を傾斜させてもよい。
【００６２】
また、上記実施の形態においては、伸縮部材４０へのエアーの供給及び排出を、エアー供給路４２Ａを経由してエアー供給・排出手段を用いて行う場合について説明したが、伸縮部材４０を制御しない構成としてもよいし、エアーの供給経路及び排出経路とを各々別々の経路として構成してもよい。
【００６３】
また、支持部材３１、３２にエアー貯留部材４４を配置するのに代えて、例えばエアシリンダ等の駆動源を用いてもよい。
【００６４】
また、上記実施の形態においては、内壁部２１及び底部保持板２２等がＳＵＳ３１６Ｌである場合について説明したが、例えば、ＳＵＳ３０４等、洗浄に耐えられる周知の材料を適用可能なことはいうまでもない。
【産業上の利用可能性】
【００６５】
本発明に係る振動処理装置によれば、振動モータの振動を、処理対象物に効率的に伝達できるので産業上利用可能である。
【符号の説明】
【００６６】
Ｃ  容器の軸線
１  滅菌装置（振動処理装置）
２０  容器
２１Ａ、２１Ｂ  壁部
２７  処理対象物排出部
３０、３１、３２  支持部材
４０  伸縮部材（傾動手段）
５０  振動モータ
６０  洗浄液供給部材（供給手段）
６５  蒸気供給部材（供給手段）
７０  処理液排出手段
７５  減圧ユニット（容器内減圧手段）
【図１】
0005764331.tif 000002
【図２】
0005764331.tif 000003
【図３】
0005764331.tif 000004
【図４】
0005764331.tif 000005
【図５】
0005764331.tif 000006
【図６】
0005764331.tif 000007
【図７】
0005764331.tif 000008